(57)【要約】【課題】電子機器に対応する充電装置を携帯すること無く、かつ、コンセントが設置された場所に制限されること無く、外出中に電子機器の充電を簡便に行う。【解決手段】充電可能な電子機器７以外の物品６が載せられる載置面１１ａを有するトレイ１１と、トレイ１１に設けられ、載置面１１ａに載せられた電子機器７が有する二次電池を無接点で充電する充電ユニット１２と、を備える。【選択図】図１
2012165553.tif 000002
【特許請求の範囲】
【請求項１】
充電可能な電子機器以外の物品が載せられる載置面を有する物品載置部材と、
前記物品載置部材に設けられ、前記載置面に載せられた前記電子機器が有する二次電池を無接点で充電する充電ユニットと、
を備える充電装置。
【請求項２】
前記充電ユニットは、前記物品載置部材の前記載置面とは反対側に配置されている、請求項１に記載の充電装置。
【請求項３】
前記充電ユニットは、前記物品載置部材に対して着脱可能に設けられている、請求項１または２に記載の充電装置。
【請求項４】
前記充電ユニットは、二次電池と、該二次電池に電力を供給する電力供給手段と電気的に接続される接続手段と、を有する、請求項１ないし３のいずれか１項に記載の充電装置。
【請求項５】
請求項１ないし４のいずれか１項に記載の充電装置によって無接点で充電される電子機器。
【請求項６】
請求項１ないし４のいずれか１項に記載の充電装置が載せられる載置部を有し、前記載置部に載せられた前記充電装置が備える前記充電ユニットに電力を供給する電力供給装置。
【請求項７】
請求項１ないし４のいずれか１項に記載の充電装置と、前記電子機器と、を備える充電システム。
【請求項８】
前記充電装置の前記充電ユニットに電力を供給する電力供給装置を更に備える、請求項７に記載の充電システム。
【請求項９】
充電可能な電子機器以外の物品が載せられる載置面を有する物品載置部材の前記載置面に載せられた前記電子機器が有する二次電池に、前記物品載置部材に設けられた充電ユニットによって無接点で充電を行う、充電方法。
【請求項１０】
前記物品載置部材に設けられた接続手段と、前記充電ユニットに電力を供給する電力供給手段が有する接続手段とを電気的に接続させることによって、前記充電ユニットの充電を行う、請求項９に記載の充電方法。
【発明の詳細な説明】
【技術分野】
【０００１】
本発明は、充電可能な電子機器以外の物品が載せられる載置面を有する充電装置、この充電装置によって充電される電子機器、充電装置に電力を供給する電力供給装置に関する。また、本発明は、充電システム及び充電方法に関する。
【背景技術】
【０００２】
近年、飲食店等の店舗では、携帯電話機や携帯用情報端末等の電子機器の充電を行えるサービスが提供されており、座席に設置されたコンセントを使用することで充電が可能にされている。
【０００３】
この種の電子機器に充電を行うためには、電子機器に対応する充電ホルダ等の充電装置と電子機器とを電気的に接続する必要がある。そのため、外出時に電子機器に充電する場合には、充電装置を携行し、コンセント等の電源を備える場所で充電装置を用いて充電が行われている。
【０００４】
また、充電装置を用いて充電を行う場合においても、電子機器の接続端子と充電装置の接続端子とを当接させて電気的に接続する必要があり、充電装置に対して電子機器を所定の位置に載せて接続端子同士を接続する充電作業が煩わしい。このような煩わしい充電作業を簡素化するために、特許文献１、２には、本発明に関連する無線点充電を行う技術が開示されている。
【先行技術文献】
【特許文献】
【０００５】
【特許文献１】特開２００１−１９００２９号公報
【特許文献２】特開２００８−４８４８２号公報
【発明の概要】
【発明が解決しようとする課題】
【０００６】
上述した特許文献１、２に記載の充電装置を用いて電子機器に充電を行う場合であっても、電子機器に対応する専用の充電装置を携行する必要がある。つまり、コンセント等の電源を備える場所においても、充電装置が無ければ充電することができず、不便であった。
【０００７】
一方、充電装置を携行した場合であっても、例えば飲食店等で充電を行う際、全ての席にコンセントが設置されているとは限らないので、充電が可能な場所が限定されてしまうという不都合がある。
【０００８】
そこで、本発明は、上記関連する技術の課題を解決することができる充電装置、電子機器、電力供給装置、充電システム、及び充電方法を提供することを目的とする。本発明の目的の一例は、電子機器に対応する充電装置を携帯する必要が無く、かつ、コンセントが設置された場所に制限されること無く、外出中に電子機器に簡便に充電を行うことを可能とすることにある。
【課題を解決するための手段】
【０００９】
上述した目的を達成するため、本発明に係る充電装置は、充電可能な電子機器以外の物品が載せられる載置面を有する物品載置部材と、物品載置部材に設けられ、載置面に載せられた電子機器が有する二次電池を無接点で充電する充電ユニットと、を備える。
【００１０】
また、本発明に係る電子機器は、本発明の充電装置によって無接点で充電される。
【００１１】
また、本発明に係る電力供給装置は、本発明の充電装置が載せられる載置部を有し、載置部に載せられた充電装置が備える充電ユニットに電力を供給する。
【００１２】
また、本発明に係る充電システムは、本発明の充電装置と、電子機器と、を備える。
【００１３】
また、本発明に係る充電方法は、充電可能な電子機器以外の物品が載せられる載置面を有する物品載置部材の載置面に載せられた電子機器が有する二次電池に、物品載置部材に設けられた充電ユニットによって無接点で充電を行う。
【発明の効果】
【００１４】
本発明によれば、電子機器に対応する充電装置を携帯する必要が無く、かつ、コンセントが設置された場所に制限されること無く、外出中に電子機器に簡便に充電を行うことができる。
【図面の簡単な説明】
【００１５】
【図１】第１の実施形態の充電装置を示す模式図である。
【図２】第１の実施形態の充電装置を分解して示す模式図である。
【図３】第１の実施形態の充電装置が備える充電ユニットを示す断面図である。
【図４】第１の実施形態の充電装置の充電ユニットに電力を供給する電力供給装置を示す斜視図である。
【図５】第２の実施形態の充電装置を示す模式図である。
【図６】第３の実施形態の充電装置を示す断面図である。
【図７】第４の実施形態の充電装置を示す斜視図である。
【発明を実施するための形態】
【００１６】
以下、本発明の具体的な実施形態について、図面を参照して説明する。
【００１７】
（第１の実施形態）
図１（ａ）に、第１の実施形態の充電装置の側面図を模式的に示し、図１（ｂ）に、第１の実施形態の充電装置の平面図を模式的に示す。図２（ａ）に、第１の実施形態の充電装置を分解した側面図を示し、図２（ｂ）に、第１の実施形態の充電装置が備える充電ユニットの底面図を示す。図３に、第１の実施形態の充電装置が備える充電ユニットの断面図を示す。
【００１８】
図１（ａ）及び図１（ｂ）に示すように、第１の実施形態の充電装置１は、充電可能な電子機器７以外の物品６を載せるための載置面１１ａを有する物品載置部材としてのトレイ１１と、このトレイ１１に設けられ、載置面１１ａに載せられた電子機器７が有する二次電池（不図示）を無接点で充電する充電ユニット１２と、を備えている。
【００１９】
実施形態の充電装置１によって充電される電子機器７としては、例えば、携帯電話機、携帯用情報端末、携帯型ゲーム機、カメラ等の二次電池を用いた携帯機器が挙げられる。
【００２０】
トレイ１１は、載置面１１ａを挟んで両端に把持部１１ｂを有する、いわゆる浅皿状に形成されている。トレイ１１は、例えば、物品として飲食物や食器等が載せられ、飲食店等の各種の店舗で用いられる。なお、トレイを構成する物品載置部材は、形状が浅皿状に限定されるものではなく、例えば外周に沿って周壁が形成されたケースや、蓋を有するボックスとして構成されてもよい。
【００２１】
また、本実施形態の充電装置１は、飲食店での利用に限らず、例えば百貨店で用いられる買い物かごやカートとして構成されてもよいことは勿論であり、買い物中に電子機器７に容易に充電を行うことが可能になる。さらに、本発明は、物品載置部材が、物品を運ぶためのトレイ等に限定されるものではなく、例えば、店舗の座席のテーブルや棚として所定の位置に固定されて構成されてもよく、本実施形態と同様の効果が得られる。また、充電装置は、例えば宿泊施設等のテレビや冷蔵庫等の備品の上部に、所持品を載せる物品載置部が設けられ、この物品載置部に充電装置が組み込まれて構成されてもよい。
【００２２】
充電ユニット１２は、図２（ａ）及び図２（ｂ）に示すように、トレイ１１の載置面１１ａの反対側の底面側に着脱可能に取り付けられている。このように、トレイ１１の下方に充電ユニット１２が配置されることによって、トレイ１１が充電ユニット１２の防水壁としても働き、載置面１１ａに載せられた飲料等の液体が、充電ユニット１２に付着することを防ぎ、充電ユニット１２の防水性が確保されている。
【００２３】
なお、充電ユニット１２をトレイ１１の下方に配置する代わりに、トレイとは独立した別の充電ユニットを、トレイを載せるテーブル等の上に配置する構成も考えられる。しかし、この構成の場合には、テーブルの上に、トレイに加えて充電ユニットを配置するスペースが必要になると共に、充電ユニットの盗難のおそれがあり、充電ユニットの盗難を防ぐための鍵等の防犯設備が必要になる。この構成に比べて、本実施形態によれば、トレイを載せるテーブル等の上に、充電ユニットを置くためのスペースが不要になると共に、飲料等の液体で充電ユニットを破損させることなく、安全に充電を行うことができる。
【００２４】
また、トレイ１１は、断熱性を有する材料で形成することで、載置面１１に載せることが可能な物品６の制限を減らすことができる。
【００２５】
また、充電ユニット１２は、必要に応じて、トレイ１１から取り外すことで、トレイ１１を一般的なトレイと同様に取り扱うことが可能になり、トレイ１１のみを洗浄することができると共に、充電ユニット１２のメンテナンス性も向上される。
【００２６】
また、充電ユニット１２は、図３に示すように、トレイ１１の底面に対応する形状に形成されており、内部に、電子機器７の二次電池に対して無接点充電が可能な給電デバイス１３と、この給電デバイス１３に電力を供給する二次電池１４と、を有している。また、充電ユニット１２は、一端部に、充電ユニット１２の二次電池１４を充電するための接続手段としての接続端子１５が設けられている。
【００２７】
また、充電ユニット１２は、電子機器７を充電するためのアンテナ（不図示）を有している。このアンテナは、載置面１１ａの所定の領域に配置されており、アンテナが配置されている位置が、充電可能位置であることを示すラベル等の表示が設けられている。したがって、電子機器７を充電する場合、トレイ１１の載置面１１ａ上の充電可能位置の近傍に、電子機器７を載せることによって、電子機器７の充電が行われる。
【００２８】
次に、上述した充電ユニット１２の二次電池１４を充電するために用いられる電力供給装置の構成例について説明する。図４に、第１の実施形態の充電装置１の充電ユニット１２に電力を供給する電力供給装置の斜視図を示す。
【００２９】
図４に示すように、電力供給装置５は、複数の充電装置１が積み重ねられて置かれる載置部１７と、この載置部１７に置かれた充電装置１に電力を供給する電力供給手段としての給電部１８と、を有している。給電部１８は、載置部１７に置かれた充電装置１の接続端子１５に当接するように配置された給電端子１９を有している。
【００３０】
以上のように構成された充電装置１及び電力供給装置５を用いる充電システムが採用された店舗において、電子機器７に充電が行われる形態について説明する。
【００３１】
まず、例えば飲食店で飲食物を注文するときに、利用者は、電子機器７に充電を行いたいことを飲食店に伝える。この場合、飲食店は、飲食物の物品６を充電装置１のトレイ１１上に載せて利用者に提供する。利用者は、充電装置１のトレイ１１に電子機器７を置くことで、充電ユニット１２が電子機器７への無接点充電を開始する。このため、利用者は、食事中に電子機器７の充電を簡便に行うことができる。
【００３２】
また、店舗には、充電装置１の返却場所に、電力供給装置５が設置されている。利用者は、充電装置１の返却時に充電装置１を電力給電装置５の給電部１８に置くことで、充電装置１の充電ユニット１２への充電が開始される。電力供給装置５によって充電ユニット１２の充電が完了した充電装置１は、店舗によって回収され、繰り返し利用される。
【００３３】
上述したように、第１の実施形態の充電装置１によれば、物品６が載置される載置面１１ａを有するトレイ１１に、充電ユニット１２が設けられたことによって、電子機器７に対応する専用充電装置を携帯する必要が無く、かつ、コンセントが設置された場所での充電に制限されること無く、外出中に電子機器７に簡便に充電を行うことができる。したがって、本実施形態によれば、トレイ１１の載置面１１ａ上に電子機器７を載せるだけで、例えば飲食店での食事中や、百貨店での買い物中等に電子機器７に容易に充電を行うことができる。
【００３４】
（第２の実施形態）
図５（ａ）に、第２の実施形態の充電装置の側面図を模式的に示し、図５（ｂ）に、第２の実施形態の充電装置の底面図を模式的に示す。図５（ａ）及び図５（ｂ）に示すように、第２の実施形態の充電装置２は、物品載置部材としてのトレイ２１の載置面２１ａの裏側である底面に、充電ユニット２２が着脱可能に装着される装着部２３を有している。装着部２３は、充電ユニット２２の周囲に沿って形成された周壁２４と、充電ユニット２２を覆う蓋部材２５と、を有しており、充電ユニット２２の防水性が更に向上されている。
【００３５】
（第３の実施形態）
上述した第１の実施形態では、電力供給装置５の給電端子１９と充電装置１の接続端子１５とが接触して電気的に接続される構成にされたが、充電装置の充電ユニットが、電力供給装置を用いて無接点で充電されるように構成されてもよい。
【００３６】
図６に、第３の実施形態の充電装置の断面図を模式的に示す。図６に示すように、第３の実施形態の充電装置３は、物品載置部材としてのトレイ３１の内部に、電力供給装置５を用いて無接点充電を行うことができる充電ユニット３２が組み込まれて一体に構成されている。
【００３７】
本実施形態によれば、トレイ３１を洗浄するときに充電ユニット３２を着脱する必要がなく、充電装置３全体を一般的なトレイと同様に取り扱うことが可能になり、充電ユニット３２の防水性が更に向上することができる。
【００３８】
（第４の実施形態）
上述した実施形態では、物品載置部材がいわゆるトレイとして構成されたが、例えば電車の座席に取り付けられたテーブルとして構成されてもよい。
【００３９】
図７に、第４の実施形態の充電装置の斜視図を示す。図７に示すように、第４の実施形態の充電装置４は、載置面４１ａを有する物品載置部材としてのテーブル４１と、このテーブル４１に組み込まれた充電ユニット４２と、を備えている。
【００４０】
また、本実施形態では、テーブル４１に対して、充電ユニット４２が着脱可能に設けられており、電力供給装置５を用いて充電ユニット４２単体で充電を行うことが可能に構成されている。
【００４１】
また、本実施形態の場合、物品載置部材としてのテーブル４１の所定の充電可能位置に、電子機器７を直接載せることで、電子機器７の充電が行われる構成に限定されるものではない。例えば、テーブル４１の上に、テーブル４１に対応する専用トレイ４３を載せたときに、専用トレイ４３が備えるＲＦＩＤ（Radio Frequency IDentification）とテーブル４１とが通信を行うことで、テーブル４１の充電ユニット４２が利用可能になるように構成されてもよい。
【００４２】
このように電子機器７の充電を行う場合に、専用トレイ４３をテーブル４１上に載せる必要があるように構成し、テーブル４１と専用トレイ４３との間でＲＦＩＤを利用した認証が行われたときに、テーブル４１の充電ユニット４２を用いて充電が可能になるように構成することができる。これによって、テーブル４１の利用者に無断で充電が行われることを防ぎ、電子機器７の充電を行える利用者を制限することも可能になる。
【００４３】
なお、本発明に係る充電装置は、上述した構成に限定されるものではなく、充電可能な電子機器以外の物品が置かれる部材や、このような部材が設置される場所であれば、他の構成として充電装置が適用されても好適である。
【符号の説明】
【００４４】
１  充電装置
５  電力供給装置
７  電子機器
６  物品
１１  トレイ
１１ａ  載置面
１２  充電ユニット
【図１】
2012165553.tif 000003
【図２】
2012165553.tif 000004
【図３】
2012165553.tif 000005
【図４】
2012165553.tif 000006
【図５】
2012165553.tif 000007
【図６】
2012165553.tif 000008
【図７】
2012165553.tif 000009